(57)【要約】【課題】外観上も良好であり、着心地もよい寝衣を提供する。【解決手段】身体の前で右前身頃１２と左前身頃１４を打ち合わせて着用する。打ち合わせの身体側となる一方の前身頃に、布で作られたひだ４４を備える。ひだ４４は、縦方向の長さは裾から腹部付近に達し、幅方向の一端縁部は前身頃１２の前側端部に連続している。他方の端縁部には、ひだ４４が設けられた前身頃１２と反対側の前身頃１４の内側脇部に、着脱自在に係止される紐体４６を備える。【選択図】図1
0003143448.tif 000002
【実用新案登録請求の範囲】
【請求項１】
身体の前で右前身頃と左前身頃を打ち合わせて着用する浴衣形であり、打ち合わせの身体側となる一方の前身頃に縦方向に複数のひだが形成され、このひだは、縦方向の長さが腹部から上記前身頃の裾に達し、前記ひだの幅方向の一端縁部は前記前身頃から連続し、他方の幅方向の端縁部は自由端となり、前記他方の幅方向端縁部には、前記ひだが設けられた前身頃と反対側の前身頃の内側に着脱自在に係止される係合手段が設けられていることを特徴とする寝衣。
【請求項２】
前記ひだは、ギャザーであり、前記係合手段は紐体であることを特徴とする請求項１記載の寝衣。
【請求項３】
前記ひだは、複数のプリーツであり、前記係合手段は紐体であることを特徴とする請求項１記載の寝衣。
【請求項４】
前記ひだは、前記前身頃の生地が延長されて連続していることを特徴とする請求項２または３記載の寝衣。
【考案の詳細な説明】
【技術分野】
【０００１】
この考案は、簡単に着脱する浴衣形の寝衣に関する。
【背景技術】
【０００２】
従来、身体の前で右前身頃と左前身頃を打ち合わせて簡単に着用する浴衣形の寝衣は、病院や福祉施設等で、入院患者に着用されている。このような寝衣は、前身頃の前側の先端と、反対側の前身頃の脇部に、紐体が縫い付けられている。この一対の紐体を、互いを結んだり外したりして寝衣を着脱する。
【０００３】
その他、特許文献１,２に開示されているように、前合わせ部位外の開閉部を備えた介護用寝間着も提案されている。
【特許文献１】特開平１０−１３０９１７号公報
【特許文献２】特開２００２−１３８３１２号公報
【考案の開示】
【考案が解決しようとする課題】
【０００４】
しかし、浴衣形の寝衣は、洋服のように身体に密着せず、身体の前側で前身頃を巻き付けて、紐体を結んで係止されているだけなので、寝ている間に裾付近の合わせ幅が浅くなり、はだけて足が冷えたり、めくれ上がって足元がごろついたりして不快なことがある。
【０００５】
この考案は上記従来の問題点に鑑みてなされたものであり、外観上も良好であり、着心地もよい寝衣を提供することを目的とする。
【課題を解決するための手段】
【０００６】
この考案は、身体の前で右前身頃と左前身頃を打ち合わせて着用する浴衣形であり、打ち合わせの身体側となる一方の前身頃に縦方向に複数のひだが形成され、このひだは、縦方向の長さが腹部から上記前身頃の裾に達し、前記ひだの幅方向の一端縁部は前記前身頃から連続し、他方の幅方向の端縁部は自由端となり、前記他方の幅方向端縁部には、前記ひだが設けられた前身頃と反対側の前身頃の内側に着脱自在に係止される係合手段が設けられている寝衣である。
【０００７】
前記ひだは、ギャザーであり、前記係合手段は紐体である。または、前記ひだは、複数のプリーツであり、前記係合手段は紐体でもよい。さらに、前記ひだは、前記前身頃の生地が延長されて連続しているものでも良い。
【考案の効果】
【０００８】
この考案の寝衣は、前身頃にひだが連接して設けられ、裾がはだけても足が露出せず、外観上及び着心地が好都合である。また、ひだが設けられた前身頃と反対側の前身頃の内側には、着脱自在に係止される紐体等が設けられ、裾が乱れるのを防止し、この点からも保温性や外観上も良好なものである。
【考案を実施するための最良の形態】
【０００９】
以下、この考案の実施形態について図面に基づいて説明する。図１、図２は、この考案の一実施形態を示すものであり、この実施形態の寝衣１０は、右前身頃１２、左前身頃１４、右後身頃１６、左後身頃１８が縫い合わされて設けられている。右前身頃１２と右後身頃１６には右袖部２０が、また左前身頃１４と左後身頃１８には左袖部２２が縫い合わされている。首の後から右前身頃１２、左前身頃１４の腹部付近にかけて、帯状の襟部２４が連続して設けられている。
【００１０】
襟２４の、左前身頃１４に取り付けられた部分には、下端部付近と胸の位置付近に、側方へ突出する紐体２６，２８が縫い付けられて設けられている。右前身頃１２の外側の脇部には、紐体２６，２８に対向する位置に紐体３０，３２が設けられている。襟２４の、右前身頃１２に取り付けられた部分には、下端部付近と胸の位置付近に、側方へ突出する紐体３４，３６が縫い付けられて設けられている。左前身頃１４の内側の脇部には、紐体３４，３６に対向する位置に紐体３８，４０が設けられている。
【００１１】
右前身頃１２の前側縁部１２ａには、下半身にひだ４４が設けられている。ひだ４４は、柔らかい生地を段々に折り曲げて設けられ、一方の端部４４ａが右前身頃１２の前側縁部１２ａに縫い合わせられ。ひだ４４の上端部４４ｂは、襟２４の下端部の内側に縫いとめられている。ひだ４４の、端部４４ａに対して平行な他端部４４ｃには、中間よりもやや下寄りに、紐体４６が縫い付けられて設けられている。左前身頃１４の内側の脇部には、紐体４６に対向する位置に紐体４８が設けられている。なお、このひだ４４は、男女で左右の位置が逆に形成される。
【００１２】
右前身頃１２と右後身頃１６で作られた肩部は、肩の長手方向に分割され、右袖部２０と襟２４も連続して分割されている。分割された一対の端縁部５０には、互いに着脱自在な面ファスナ５２が設けられている。右前身頃１２側の襟２４には、端縁部５０よりも襟２４の延長方向に突出する連結部５４が一体に形成されている。連結部５４の内側面には面ファスナ５６が設けられている。右後身頃１６側の襟２４には、面ファスナ５６に着脱自在な面ファスナ５８が外側面に設けられている。
【００１３】
左前身頃１４と左後身頃１８で作られた肩部は、肩の長手方向に分割され、左袖部２２と襟２４も連続して分割されている。分割された一対の端縁部６０には、互いに着脱自在な面ファスナ６２が設けられている。左前身頃１４の襟２４は、端縁部６０よりも襟２４の延長方向に突出する連結部６４が一体に形成されている。連結部６４の内側面には面ファスナ６６が設けられている。左後身頃１８側の襟２４には、連結部６４の面ファスナ６６に着脱自在な図示しない面ファスナが外側面に設けられている。
【００１４】
次に、寝衣１０の着脱方法について説明する。着用者６８が寝衣を着た状態を図１に示す。着用には、右前身頃１２の襟２４に取り付けられた紐体３４，３６と、左前身頃１４の内側の脇部に位置する紐体３８，４０を結び、ひだ４４の紐体４６と左前身頃１４の内側の脇部に位置する紐体４８を結ぶ。右前身頃１２の外側に左前身頃１４を被せ、左前身頃１４の襟２４に取りつけられた紐体２６，２８と、右前身頃１２の外側の脇部に位置する紐体３０，３２を結ぶ。
【００１５】
次に、仰向きに寝ている着用者６８から、介護者７０が寝衣１０を脱がせる方法について説明する。まず、右前身頃１２の襟２４に連続する連結部５４の面ファスナ５６を、右後身頃１６の面ファスナ５８から外す。そして肩の一対の面ファスナ５２を互いに外して一対の端縁部５０を分離させ、右前身頃１２と右後身頃１６を離し、右袖部２０を展開して着用者の右肩と右腕を露出させる。同様に左前身頃１４の襟２４に連続する連結部６４の面ファスナ６６を左後身頃１８の面ファスナから外す。そして肩の一対の面ファスナ６２を互いに外して一対の端縁部６０を分離させ、着用者６８の左肩と左腕を露出させる。
【００１６】
次に、着用者６８の左半身から左前身頃１４，左後身頃１８，左袖２２を脱がせて背中の中心側に寄せる。一旦着用者６８を仰向けに戻してから、着用者６８の背中の下から寝衣１０の左半身を引き出し、右前身頃１２，右後身頃１６，右袖部２０を外して寝衣１０を脱がせる。
【００１７】
また、着用者６８に寝たまま寝衣１０を着せる場合は、右向きに寝返りを打っているときに寝衣１０の右半身を着せ、左向きに寝返りを打っているときに寝衣１０の左半身を着せ、最後に各面ファスナと各紐体を閉めて着用させる。また、左右を逆の順で着脱させてもよい。
【００１８】
着用者６８が寝ているときに寝衣１０の裾が広げられた場合、図１示すようにひだ４４の紐体４６が左前身頃１４の内側の脇部に設けられた紐体４８に引かれて左前身頃１４の側方へ広がり、足を覆う。着用者６８が起きて運動する際も、足の動きに伴いひだ４４が広がる。
【００１９】
この実施形態の寝衣１０によれば、右前身頃１２の裾にはひだ４４が設けられて足を覆っているため、足がはだけて冷えたり、また寝ているときにめくれてごろつくことがなく、快適に着用することができる。両肩は面ファスナ５２，６２で簡単に展開したり閉じたりすることができ、肩や手が動き難い着用者６８の着替えを手伝う際に、肩や手を無理に曲げたりすることがなく、着用者６８も介護者７０も楽に行うことができる。襟２４には、端縁部５０，６０よりも突出して襟２４の外側に重ねられて係止される連結部５４，６４が設けられているため、不用意に外れることがなくしっかりと着用することができる。
【００２０】
なお、この考案の寝衣は上記実施の形態に限定されるものではなく、紐体は面ファスナやボタン、ホック等の他の係合手段でもよい。ひだは、ギャザーでも良く、ゆとりを設けたものであればよい。
【図面の簡単な説明】
【００２１】
【図１】この考案の一実施形態の寝衣の着用状態を示す正面図である。
【図２】この考案の一実施形態衣の寝衣の正面図である。
【符号の説明】
【００２２】
１０  寝衣
１２  右前身頃
１４  左前身頃
１６  右後身頃
１８  左後身頃
２０  右袖部
２２  左袖部
２４  襟
２６，２８，３０，３２，３４，３６，３８，４０，４６，４８  紐体
４４  ひだ
５０，６０  端縁部
【図１】
0003143448.tif 000003
【図２】
0003143448.tif 000004